(57)【要約】【課題】簡単な構造で、ディップスを行う際に、ディップバーを握る手の間隔、角度を適宜、変えることのできるトレーニング器具を提供すること。【解決手段】トレーニング器具１において、左ディップスバー７および右ディップスバー８のそれぞれは、同一平面上において後方に向かって逆方向に傾斜している左傾斜グリップ部分および右傾斜グリップ部分である。これらの間隔は、後方に向かって漸増している。ディップスを行う際に、左右のディップスバー７、８を握る位置を前後方向に変えることにより、左右の手の間隔、握り角度を変えることができる。適宜、左右の傾斜グリップ部分の握り位置を変えてディップスを行うことにより、上半身の各筋肉に対して異なる形態で負荷を掛けて鍛えることができる。【選択図】図１Ｂ
2018050817.tif 000002
【特許請求の範囲】
【請求項１】
左右対称な形状をしたディップバーフレームと、前記ディップバーフレームを水平な設置面から所定の高さ位置において水平に支持するスタンドフレームとを有しており、
前記ディップバーフレームは、連結バーと、この連結バーの左右の端に連結されている同一平面上に位置する左ディップバーおよび右ディップバーとを備えており、
前記左ディップバーは左傾斜グリップ部分を備えており、
前記右ディップバーは右傾斜グリップ部分を備えており、
前記左傾斜グリップ部分および前記右傾斜グリップ部分は、前記ディップバーフレームの対称軸に対して、逆方向に傾斜しているトレーニング器具。
【請求項２】
請求項１において、
前記左ディップバーは左平行グリップ部分を備えており、
前記右ディップバーは、前記左平行グリップ部分と平行に延びる右平行グリップ部分を備えているトレーニング器具。
【請求項３】
請求項１において、
前記左傾斜グリップ部分は、前記対称軸に対して第１の角度で傾斜している左第１傾斜部分と、前記対称軸に対して前記第１の角度とは異なる第２の角度で傾斜している左第２傾斜部分とを備えており、
前記右傾斜グリップ部分は、前記対称軸に対して前記左第１傾斜部分とは逆方向に前記第１の角度で傾斜している右第１傾斜部分と、前記対称軸に対して前記左第２傾斜部分とは逆方向に前記第２の角度で傾斜している右第２傾斜部分とを備えているトレーニング器具。
【請求項４】
請求項１において、
前記連結バーは、
前記対称軸に直交する方向に延びている直交バー、または、
前記対称軸を中心として、１８０°未満の角度で左右に延びている一対の傾斜バーであるトレーニング器具。
【請求項５】
請求項１において、
前記スタンドフレームは、
前記設置面に置くベースフレームと、
前記ベースフレームと前記ディップバーフレームの間を連結している支持フレームと
を備えているトレーニング器具。
【発明の詳細な説明】
【技術分野】
【０００１】
本発明は、上半身の筋力強化を目的とするディップスなどの筋力トレーニングに用いるトレーニング器具に関する。
【背景技術】
【０００２】
ディップス用のトレーニング器具は、ディップスタンドなどと呼ばれており、左右一対の水平な平行棒が備わっている。平行棒を左右の手で持って、足を浮かせた状態で腕を屈伸させる自重を利用した筋力トレーニングを行うことにより、大胸筋下部、三角筋前部、上腕三頭筋等を鍛えることができる。
【０００３】
このような上半身用のトレーニング器具としては、専用の簡単な構造のものから、各種の筋力トレーニングを行うことができる複合式のトレーニングマシンの一部として構成されているものがある。例えば、ディップスバーを備えた複合式のトレーニングマシンが、特許文献１、２に記載されている。
【先行技術文献】
【特許文献】
【０００４】
【特許文献１】実開平７−１２１５７号公報
【特許文献２】特表２００５−５２６５５９号公報
【発明の概要】
【発明が解決しようとする課題】
【０００５】
一般的なディップスタンドなどのトレーニング器具においては、ディップスバーが、所定の高さ位置において、一定の間隔で平行に配置されている。したがって、トレーニングを行う際の左右の手の間隔が一定であり、また、左右の手の角度も一定である。
【０００６】
手の間隔、角度を変えてディップスを行うことにより、上半身の各筋肉を多様な形態で鍛えることが期待できる。従来のディップス用のトレーニング器具では、訓練者は、ディップスバーの間隔、角度を変えながらディップスを行うことができない。間隔調整機構を組み込まれている場合には、事前に間隔調整を行うことができるが、その都度、間隔設定を行う必要があり面倒である。また、器具の構造が複雑となり、製造コストが上がってしまう。
【０００７】
本発明の課題は、このような点に鑑みて、簡単な構造で、ディップスを行う際に、ディップバーを握る手の間隔および角度を適宜、変えることのできるトレーニング器具を提供することにある。
【課題を解決するための手段】
【０００８】
上記の課題を解決するために、本発明のトレーニング器具は、左右対称な形状をしたディップバーフレームと、ディップバーフレームを水平な設置面から所定の高さ位置において水平に支持するスタンドフレームとを有している。ディップバーフレームは、連結バーと、この連結バーの左右の端に連結されている同一平面上に位置する左ディップバーおよび右ディップバーとを備えている。左ディップバーは左傾斜グリップ部分を備えており、右ディップバーは右傾斜グリップ部分を備えている。これらの左傾斜グリップ部分および右傾斜グリップ部分は、ディップバーフレームの対称軸に対して、逆方向に傾斜していることを特徴としている。
【０００９】
本発明のトレーニング器具においては、左ディップスバーおよび右ディップスバーのそれぞれに、同一平面上において逆方向に傾斜している左傾斜グリップ部分および右傾斜グリップ部分が形成されている。これらの間隔は、対称軸の方向に沿って徐々に変化している。ディップスを行う際に、左傾斜グリップ部分および右傾斜グリップ部分を握る位置を変えることにより、左右の手の間隔、角度を変えることができる。適宜、左右の傾斜グリップ部分の握り位置を変えてディップスを行うことにより、上半身の各筋肉に対して異なる形態で負荷を掛けて、各筋肉を鍛えることができる。
【００１０】
本発明において、左右の傾斜グリップ部分に加えて、左ディップバーおよび右ディップバーに、相互に平行に延びる左平行グリップ部分および右平行グリップ部分を設けることもできる。
【００１１】
これらの左右の平行グリップ部分を握ることにより、従来の平行棒を備えたディップススタンドと同様な形態でディップスを行うことができる。
【００１２】
本発明において、左右の傾斜グリップ部分のそれぞれに、異なる角度で傾斜している第１、第２傾斜部分を設けることもできる。このようにすれば、ディップスを行う際の左右の手の間隔、握り角度を、より広い範囲で変えることができる。
【００１３】
本発明において、左右のディップスバーを連結している連結バーとして、対称軸に直交する方向に延びている直交バーを用いることができる。この代わりに、対称軸を中心として、１８０°未満の角度、例えば、１３５°の角度で左右に広がっている一対の傾斜バーを用いることができる。
【００１４】
本発明において、スタンドフレームは、例えば、設置面に置くベースフレームと、このベースフレームとディップバーフレームの間を連結している支持フレームとから構成することができる。
【図面の簡単な説明】
【００１５】
【図１Ａ】本発明の実施の形態１のトレーニング器具を示す斜視図および平面図である。
【図１Ｂ】図１のトレーニング器具の使用例を示す説明図である。
【図２】本発明の実施の形態２のトレーニング器具を示す斜視図および平面図である。
【図３】本発明の実施の形態３のトレーニング器具を示す斜視図および平面図である。
【図４】本発明の実施の形態４のトレーニング器具を示す斜視図および平面図である。
【図５】ディップスバーフレームの各種形状を示す説明図である。
【発明を実施するための形態】
【００１６】
以下に、図面を参照して、本発明を適用したトレーニング器具の実施の形態を説明する。
【００１７】
（実施の形態１）
図１Ａ（ａ）、（ｂ）は実施の形態１に係るトレーニング器具を示す斜視図であり、図１Ａ（ｃ）はその平面図である。トレーニング器具１は、左右対称な形状をしたディップバーフレーム２と、ディップバーフレーム２を水平な設置面から所定の高さ位置において水平に支持するスタンドフレーム３とから構成されている。スタンドフレーム３は、設置面に置くベースフレーム４と、このベースフレーム４とディップバーフレーム２の間を連結している支持フレーム５とから構成されている。
【００１８】
本例では、ディップバーフレーム２は、金属製の円形パイプ、例えばステンレススチール製の円形パイプを連結して構成されている。スタンドフレーム３の支持フレーム５も同
一径の円形パイプを連結して構成されている。スタンドフレーム３のベースフレーム４は、金属製の角形パイプを連結して構成されている。ソリッドな金属製の直線状の部材を連結して各部を構成することも可能である。また、プラスチック製の部材、木質製の部材を用いて構成することも可能であり、金属以外の各種の素材を用いることができる。
【００１９】
ディップバーフレーム２は、同一平面上に位置し、後方に開口した左右対称な形状をしている。ディップバーフレーム２は、連結バー６と、この連結バー６の左右の端に溶接等の接合手段によって連結されている左ディップバー７および右ディップバー８とから構成されている。
【００２０】
連結バー６は、ディップバーフレーム２の対称軸２ａを中心として、１８０°未満の角度、例えば、１３５°の角度θ（２）で左右に延びている左連結バー６ａと右連結バー６ｂから構成されている。
【００２１】
左ディップバー７の前端は、連結バー６の左連結バー６ａの端に、溶接等の接合手段によって連結されている。左ディップバー７は、左連結バー６ａに対して、後側に向けて、例えば角度θ（２）の角度で傾斜した方向に延びている左傾斜グリップ部分である。同様に、右ディップバー８の前端は、連結バー６の右連結バー６ｂの端に、溶接等の接合手段によって連結されている。右ディップバー８は、右連結バー６ｂに対して、後側に向けて、例えば角度θ（２）の角度で傾斜した方向に延びている左傾斜グリップ部分である。換言すると、左ディップバー７および右ディップバー８は、ディップバーフレーム２の対称軸２ａに対して、逆方向に傾斜している。
【００２２】
この形状のディップバーフレーム２を支持しているスタンドフレーム３のベースフレーム４は、本例では、ディップバーフレーム２とほぼ同一の形状をしており、後方に向けて広がっている左右対称な形状をしている。すなわち、その対称軸を中心として例えば１３５°の角度で後方に向けて左右に延びている左右の中央側角形パイプ４ａ、４ｂと、中央側角形パイプ４ａ、４ｂの左右の端から後方に向けて所定の角度、例えば１３５°の角度で、左右に延びている左右の角形パイプ４ｃ、４ｄとから構成されている。
【００２３】
支持フレーム５は、ベースフレーム４に垂直に取り付けた３本の円形パイプ５ａ、５ｂ、５ｃを備えている。中央の垂直円形パイプ５ａは、ベースフレーム４の左右方向の中央の位置である先端の角部に取り付けられ、その上端は、ディップバーフレーム２の先端の角部に連結されている。左右の円形パイプ５ｂ、５ｃは、ベースフレーム４における左右の角部から後ろ側に僅かに外れた位置に取り付けられ、それらの上端は、ディップバーフレーム２の左右の角部から後ろ側に僅かに外れた位置に連結されている。また、左右の円形パイプ５ｂ、５ｃの上端部分には、これらと、ディップバーフレーム２との間に、筋交い用の円形パイプ５ｄ、５ｅが架け渡されて、補強されている。
【００２４】
この構成のトレーニング器具１を用いたディップスにおいては、図１Ｂに示すように、訓練者は、左右の手で、後方に向けて左右に広がる方向に傾斜している左右のディップバー７、８を握り、足を浮かせた状態で腕を屈伸させて、大胸筋下部等を鍛える。この際に、左右のディップバー７、８を握る位置を、前後方向（対称軸２ａに沿った方向）にずらすことにより、左右の手の間隔を増減でき、また、左右の腕の立ち上がり角度もそれに伴って変化する。左右のディップバー７、８の握り位置を変えることにより、ディップスを行った場合における上半身の各筋肉に対する負荷の程度、方向が変わる。これにより、多様な形態で、上半身の筋肉を鍛えることができる。
【００２５】
(実施の形態２)
図２（ａ）、（ｂ）は実施の形態２に係るトレーニング器具を示す斜視図であり、図２
（ｃ）はその平面図である。トレーニング器具１１は、同一平面上に位置し、後方に開口している左右対称な形状をしたディップバーフレーム１２と、ディップバーフレーム１２を水平な設置面から所定の高さ位置において水平に支持するスタンドフレーム１３とから構成されている。スタンドフレーム１３は、設置面に置くベースフレーム１４と、このベースフレーム１４とディップバーフレーム１２の間を連結している支持フレーム１５とから構成されている。
【００２６】
ディップバーフレーム１２は、金属製の円形パイプ、例えばステンレススチール製の円形パイプを連結して構成されている。スタンドフレーム１３の支持フレーム１５も同一径の円形パイプを連結して構成されている。スタンドフレーム１３のベースフレーム１４は、金属製の角形パイプを連結して構成されている。ソリッドな金属製の直線状の部材を連結して各部を構成することも可能である。プラスチック製の部材、木質製の部材を用いて構成することも可能であり、金属以外の各種の素材を用いることができる。
【００２７】
ディップバーフレーム１２は、同一平面上に位置し、後方に開口した左右対称な形状をしている。ディップバーフレーム１２は、連結バー１６と、この連結バー１６の左右の端に溶接等の接合手段によって連結されている左ディップバー１７および右ディップバー１８とから構成されている。連結バー１６は、ディップバーフレーム１２の対称軸１２ａに直交する左右方向に延びている直線状のバーである。
【００２８】
左ディップバー１７の前端は、連結バー１６の左端に、溶接等の接合手段によって連結され、後側に向けて、所定の角度θ（１２）で傾斜した方向に延びている左傾斜グリップ部分である。同様に、右ディップバー１８の前端は、連結バー１６の右端に、溶接等の接合手段によって連結され、後側に向けて、所定の角度θ（１２）で傾斜した方向に延びている左傾斜グリップ部分である。
【００２９】
スタンドフレーム１３のベースフレーム１４は左右対称な形状をしており、後方に向けて所定の角度で左右に広がっている左右の角形パイプ１４ｃ、１４ｄから構成されている。例えば、角形パイプ１４ｃ、１４ｄは直角に交差しており、真上から見た場合に、ディップバーフレーム１２の左右のディップバー１７、１８のそれぞれに重なる位置に配置されている。
【００３０】
支持フレーム１５は、ベースフレーム１４の左右の角形パイプ１４ｃ、１４ｄの前端側の部位から、ディップバーフレーム１２の左右のディップバー１７、１８の後ろ端側の部位の間に架け渡した左右の円形パイプ１５ａ、１５ｂを備えている。また、ベースフレーム４の左右の角形パイプ１４ｃ、１４ｄの後端側の部位と、左右の円形パイプ１５ａ、１５ｂの途中の高さ位置の部位との間に斜めに架け渡した補強用の円形パイプ１５ｃ、１５ｄを備えている。
【００３１】
この構成のトレーニング器具１１を使用して行うディップスにおいても、訓練者は、左右のディップバー１７、１８を握る位置を、前後方向（対称軸１２ａに沿った方向）にずらすことにより、左右の手の間隔を増減でき、また、左右の腕の立ち上がり角度もそれに伴って変化する。左右のディップバー１７、１８の握り位置を変えることにより、ディップスを行った場合における上半身の各筋肉に対する負荷の程度、方向が変わる。これにより、多様な形態で、上半身の筋肉を鍛えることができる。
【００３２】
（実施の形態３）
図３（ａ）、（ｂ）は実施の形態３に係るトレーニング器具を示す斜視図であり、図３（ｃ）はその平面図である。トレーニング器具２１は、基本的に、上記の実施の形態２の場合と同様な構造となっているが、スタンドフレームの支持フレーム構成が相違している
。
【００３３】
実施の形態３のトレーニング器具２１は、同一平面上に位置し、後方に開口している左右対称な形状をしたディップバーフレーム２２と、ディップバーフレーム２２を水平な設置面から所定の高さ位置において水平に支持するスタンドフレーム２３とから構成されている。スタンドフレーム２３は、設置面に置くベースフレーム２４と、このベースフレーム２４とディップバーフレーム２２の間を連結している支持フレーム２５とから構成されている。
【００３４】
ディップバーフレーム２２は、金属製の円形パイプ、例えばステンレススチール製の円形パイプを連結して構成されている。スタンドフレーム２３の支持フレーム２５も同一径の円形パイプを連結して構成されている。スタンドフレーム２３のベースフレーム２４は、金属製の角形パイプを連結して構成されている。ソリッドな金属製の直線状の部材を連結して各部を構成することも可能である。プラスチック製の部材、木質製の部材を用いて構成することも可能であり、金属以外の各種の素材を用いることができる。
【００３５】
ディップバーフレーム２２は、同一平面上に位置し、後方に開口した左右対称な形状をしている。ディップバーフレーム２２は、連結バー２６と、この連結バー２６の左右の端に溶接等の接合手段によって連結されている左ディップバー２７および右ディップバー２８とから構成されている。連結バー２６は、ディップバーフレーム２２の対称軸２２ａに直交する左右方向に延びている直線状のバーである。
【００３６】
左ディップバー２７の前端は、連結バー２６の左端に、溶接等の接合手段によって連結され、後側に向けて、所定の角度θ（２２）で傾斜した方向に延びている左傾斜グリップ部分である。同様に、右ディップバー２８の前端は、連結バー２６の右端に、溶接等の接合手段によって連結され、後側に向けて、所定の角度θ（２２）で傾斜した方向に延びている左傾斜グリップ部分である。
【００３７】
スタンドフレーム２３のベースフレーム２４は左右対称な形状をしており、後方に向けて所定の角度で左右に広がっている左右の角形パイプ２４ｃ、２４ｄから構成されている。例えば、角形パイプ２４ｃ、２４ｄは直角に交差しており、真上から見た場合に、ディップバーフレーム２２の左右のディップバー２７、２８のそれぞれに重なる位置に配置されている。
【００３８】
支持フレーム２５は、ベースフレーム２４の左右の角形パイプ２４ｃ、２４ｄの前端側の部位から、ディップバーフレーム２２の左右のディップバー２７、２８の後ろ端側の部位の間に架け渡した左右の円形パイプ２５ａ、２５ｂを備えている。また、ベースフレーム４の左右の角形パイプ２４ｃ、２４ｄの後端側の部位と、左右の円形パイプ２５ａ、２５ｂの途中の高さ位置の部位との間に斜めに架け渡した補強用の下側円形パイプ２５ｃ、２５ｄを備えている。これらの円形パイプ２５ｃ、２５ｄにおける下端側の部分は、前方に鈍角で折れ曲がって、左右の角形パイプ２４ｃ、２４ｄに連結されている。さらに、左右の円形パイプ２５ａ、２５ｂの上側には、これらと、ディップバーフレーム２２の左右のディップバー２７、２７の前端側の部位との間に斜めに架け渡した補強用の上側円形パイプ２５ｅ、２５ｆが備わっている。
【００３９】
この構成のトレーニング器具２１も、上記の実施の形態１、２の場合と同様に、訓練者は、左右のディップバー２７、２８の握り位置を変えることにより、ディップスを行った場合における上半身の各筋肉に対する負荷の程度、方向が変わる。これにより、多様な形態で、上半身の筋肉を鍛えることができる。
【００４０】
（実施の形態４）
図４（ａ）、（ｂ）は実施の形態４に係るトレーニング器具を示す斜視図である。トレーニング器具３１は、同一平面上に位置し、後方に開口している左右対称な形状をしたディップバーフレーム３２と、ディップバーフレーム３２を水平な設置面Ｇから所定の高さ位置において水平に支持するスタンドフレーム３３とから構成されている。スタンドフレーム３３は、設置面Ｇに置くベースフレーム３４と、このベースフレーム３４とディップバーフレーム３２の間を連結している支持フレーム３５とから構成されている。
【００４１】
ディップバーフレーム３２は、金属製の円形パイプ、例えばステンレススチール製の円形パイプを連結して構成されている。スタンドフレーム３３も同一径の円形パイプを連結して構成されている。ソリッドな金属製の直線状の部材を連結して各部を構成することも可能である。プラスチック製の部材、木質製の部材を用いて構成することも可能であり、金属以外の各種の素材を用いることができる。
【００４２】
ディップバーフレーム３２は、同一平面上に位置し、後方に開口した左右対称な形状をしている。ディップバーフレーム３２は、連結バー３６と、この連結バー３６の左右の端に溶接等の接合手段によって連結されている左ディップバー３７および右ディップバー３８とから構成されている。連結バー３６は、ディップバーフレーム３２の対称軸３２ａに直交する左右方向に延びている直線状のバーである。
【００４３】
左ディップバー３７の前端は、連結バー３６の左端に、溶接等の接合手段によって連結され、後側に向けて、所定の角度で傾斜した方向に延びている左傾斜グリップ部分である。同様に、右ディップバー３８の前端は、連結バー１６の右端に、溶接等の接合手段によって連結され、後側に向けて、所定の角度で傾斜した方向に延びている左傾斜グリップ部分である。
【００４４】
スタンドフレーム３３のベースフレーム３４は左右対称な形状をしており、後方に向けて所定の角度で左右に広がっている左右の円形パイプ３４ｃ、３４ｄから構成されている。例えば、円形パイプ３４ｃ、３４ｄは直角に交差しており、真上から見た場合に、ディップバーフレーム３２の左右のディップバー３７、３８のそれぞれに重なる位置に配置されている。
【００４５】
支持フレーム３５は、ベースフレーム３４の左右の角形パイプ３４ｃ、３４ｄの前後方向における僅かに前側の部位から、ディップバーフレーム３２の左右のディップバー３７、３８における前後方向のほぼ中ほどの部位との間に架け渡した左右の円形パイプ３５ａ、３５ｂを備えている。これらの円形パイプ３５ａ、３５ｂは、その下端側の部位が、前方に折れ曲がった形状をしている。
【００４６】
この構成のトレーニング器具３１を使用して行うディップスにおいても、訓練者は、左右の手で、後方に向けて左右に広がる方向に傾斜している左右のディップバー３７、３８を握り、足を浮かせた状態で腕を屈伸させて、大胸筋下部等を鍛える。この際に、左右のディップバー３７、３８を握る位置を、前後方向にずらすことにより、左右の手の間隔を増減でき、また、左右の手の握り角度もそれに伴って変化する。左右のディップバー３７、３８の握り位置を変えることにより、ディップスを行った場合における上半身の各筋肉に対する負荷の程度、方向が変わる。これにより、多様な形態で、上半身の筋肉を鍛えることができる。
【００４７】
（その他の実施の形態）
図５は、本発明のトレーニング器具におけるディップバーフレームとして用いることの
できる各種の形状を示す説明図である。
【００４８】
図５（ａ）に示すディップバーフレーム５２では、左右のディップバー５７、５８に、それぞれ、傾斜グリップ部分５７ａ、５８ａと、前後方向に平行に延びる平行グリップ部分５７ｂ、５８ｂが備わっている。図５（ｂ）に示すディップバーフレーム６２も同様であり、左右のディップバー６７、６８に、それぞれ、傾斜グリップ部分６７ａ、６８ａと、前後方向に平行に延びる平行グリップ部分６７ｂ、６８ｂが備わっている。
【００４９】
図５（ｃ）に示すディップバーフレーム７２では、左右のディップバー７７、７８に、それぞれ、傾斜角度の異なる第１傾斜部分７７ａ、７８ｂおよび第２傾斜部分７７ｂ、７８ｂが備わっている。図５（ｄ）に示すディップバーフレーム８２も同様に、左右のディップバー８７、８８に、それぞれ、傾斜角度の異なる第１傾斜部分８７ａ、８８ｂおよび第２傾斜部分８７ｂ、８８ｂが備わっている。
【００５０】
なお、上記の各実施の形態において、スタンドフレームのベースフレームは、訓練時に転倒することのないように、適切な形状および大きさのものとすればよい。
【符号の説明】
【００５１】
１、１１、２１、３１  トレーニング器具
２、１２、２２、３２、５２、６２、７２、８２  ディップバーフレーム
２ａ、１２ａ、２２ａ  対称軸
３、１３、２３、３３  スタンドフレーム
４、１４、２４、３４  ベースフレーム
４ａ、４ｂ  中央側角形パイプ
４ｃ、４ｄ、２４ｃ、２４ｄ、３４ｃ、３４ｄ  角形パイプ
５、１５、２５、３５  支持フレーム
５ａ〜５ｅ、１５ａ〜１５ｄ、２５ａ、２５ｂ、３５ａ、３５ｂ  円形パイプ
６、１６、２６、３６  連結バー
６ａ  左連結バー
６ｂ  右連結バー
７、１７、２７、３７、５７、６７、７７、８７  左ディップバー
８、１８、２８、３８、５８、６８、７８、８８  右ディップバー
２５ｃ〜２５ｆ  下側円形パイプ
５７ａ、５８ａ  傾斜グリップ部分
５７ｂ、５８ｂ  平行グリップ部分
７７ａ、７８ａ、８７ａ、８８ａ  第１傾斜部分
７７ｂ、７８ｂ、８７ｂ、８８ｂ  第２傾斜部分
【図１Ａ】
2018050817.tif 000003
【図１Ｂ】
2018050817.tif 000004
【図２】
2018050817.tif 000005
【図３】
2018050817.tif 000006
【図４】
2018050817.tif 000007
【図５】
2018050817.tif 000008